(57)【要約】【課題】表示装置において上フレームと表示パネルとの間からの光の漏れや塵埃の侵入を低減する。【解決手段】表示装置は、表示パネルと、表示パネルの周縁部を覆う上フレームと、表示パネルと上フレームとの間に配置される、第１弾性部材及び第２弾性部材と、を含み、第１弾性部材は、表示パネルの周縁部に固定される第１部分と、第１部分から上フレーム側に向けて延伸する第２部分とを含み、第２弾性部材は、上フレームに固定される第３部分と、第３部分から表示パネル側に向けて延伸する第４部分とを含み、表示パネルの表示面に平行な方向から表示パネルと上フレームとの間を見て、第１弾性部材の第２部分の少なくとも一部と第２弾性部材の第４部分の少なくとも一部とが重なる。【選択図】図１
2017161874.tif 000002
【特許請求の範囲】
【請求項１】
表示パネルと、
前記表示パネルの周縁部を覆う上フレームと、
前記表示パネルと前記上フレームとの間に配置される、第１弾性部材及び第２弾性部材と、
を含み、
前記第１弾性部材は、前記表示パネルの周縁部に固定される第１部分と、前記第１部分から前記上フレーム側に向けて延伸する第２部分とを含み、
前記第２弾性部材は、前記上フレームに固定される第３部分と、前記第３部分から前記表示パネル側に向けて延伸する第４部分とを含み、
前記表示パネルの表示面に平行な方向から前記表示パネルと前記上フレームとの間を見て、前記第１弾性部材の第２部分の少なくとも一部と、前記第２弾性部材の第４部分の少なくとも一部とが重なる、
ことを特徴とする表示装置。
【請求項２】
前記表示パネルと前記上フレームとの間の前記表示パネルの厚さ方向の長さは、前記第２部分の前記上フレーム側に向けて延伸する方向の長さよりも短い、
ことを特徴とする請求項１に記載の表示装置。
【請求項３】
前記表示パネルと前記上フレームとの間の前記表示パネルの厚さ方向の長さは、前記第４部分の前記表示パネル側に向けて延伸する方向の長さよりも短い、
ことを特徴とする請求項１に記載の表示装置。
【請求項４】
前記第２部分における前記表示パネル側の下面の少なくとも一部と、前記第４部分における前記上フレーム側の上面の少なくとも一部とが互いに接する、
ことを特徴とする請求項１に記載の表示装置。
【請求項５】
前記第２部分における前記上フレーム側の上面の少なくとも一部と、前記第４部分における前記表示パネル側の下面の少なくとも一部とが互いに接する、
ことを特徴とする請求項１に記載の表示装置。
【請求項６】
前記第１弾性部材は、前記第１部分と、前記第２部分とにより断面がＶ字形状に形成されており、
前記第２弾性部材は、前記第３部分と、前記第４部分とにより断面がＶ字形状に形成されている、
ことを特徴とする請求項１に記載の表示装置。
【請求項７】
前記第１弾性部材及び前記第２弾性部材の断面におけるＶ字の角度は９０度より小さい、
ことを特徴とする請求項６に記載の表示装置。
【請求項８】
前記第２弾性部材の前記第３部分は、前記上フレームにおける前記表示パネル側の下面に固定されている、
ことを特徴とする請求項１に記載の表示装置。
【請求項９】
前記第２弾性部材の前記第３部分は、前記上フレームにおける前記表示パネル側とは反対側の上面に固定されている、
ことを特徴とする請求項１に記載の表示装置。
【請求項１０】
前記第１弾性部材の第１部分は、前記表示パネルの周縁部に沿った、矩形の一体形状であり、前記第２弾性部材の第３部分は、前記上フレームに沿った、矩形の一体形状である、
ことを特徴とする請求項１に記載の表示装置。
【請求項１１】
前記第１弾性部材の第２部分は、前記第１部分の矩形の各辺から突出しており、辺ごとに独立しており、
前記第２弾性部材の第４部分は、前記第３部分の矩形の各辺から突出しており、辺ごとに独立している、
ことを特徴とする請求項１０に記載の表示装置。
【発明の詳細な説明】
【技術分野】
【０００１】
本発明は、表示装置に関する。
【背景技術】
【０００２】
表示装置では、表示パネルやバックライトユニットが上フレームと下フレームとを用いて一体に組み立てられる。このとき、上フレームと表示パネルとが接触しないよう上フレームと表示パネルとの間には隙間が設けられるため、上フレームと表示パネルとの間の隙間から塵埃が侵入し、表示不良が生じることがある。
【０００３】
特許文献１では、フレームと表示パネルとの間の隙間への塵埃侵入を防止するために、フレームと表示パネルとの間にＶ字形状やＺ字形状に折り曲げられた弾性部材を配置することを開示している。
【先行技術文献】
【特許文献】
【０００４】
【特許文献１】特開２００５−９１９７１号公報
【発明の概要】
【発明が解決しようとする課題】
【０００５】
特許文献１では、フレーム側で弾性部材の一辺が固定され、表示パネル側では弾性部材の遊端が表示パネルに接している。このような構成では、弾性部材の形状を厳密に管理しないと表示パネルと弾性部材との間に隙間が生じ、当該隙間から光の漏れや塵埃等の侵入が生じ得る。
【０００６】
本発明は、上記課題に鑑みて為されたものであり、その目的は、表示装置において上フレームと表示パネルとの間からの光の漏れや塵埃の侵入を低減することにある。
【課題を解決するための手段】
【０００７】
上記課題を解決するために、本発明の表示装置は、表示パネルと、前記表示パネルの周縁部を覆う上フレームと、前記表示パネルと前記上フレームとの間に配置される、第１弾性部材及び第２弾性部材と、を含み、前記第１弾性部材は、前記表示パネルの周縁部に固定される第１部分と、前記第１部分から前記上フレーム側に向けて延伸する第２部分とを含み、前記第２弾性部材は、前記上フレームに固定される第３部分と、前記第３部分から前記表示パネル側に向けて延伸する第４部分とを含み、前記表示パネルの表示面に平行な方向から前記表示パネルと前記上フレームとの間を見て、前記第１弾性部材の第２部分の少なくとも一部と、前記第２弾性部材の第４部分の少なくとも一部とが重なる、ことを特徴とする。
【０００８】
本発明の表示装置では、前記表示パネルと前記上フレームとの間の前記表示パネルの厚さ方向の長さは、前記第２部分の前記上フレーム側に向けて延伸する方向の長さよりも短くてもよい。
【０００９】
本発明の表示装置では、前記表示パネルと前記上フレームとの間の前記表示パネルの厚さ方向の長さは、前記第４部分の前記表示パネル側に向けて延伸する方向の長さよりも短くてもよい。
【００１０】
本発明の表示装置では、前記第２部分における前記表示パネル側の下面の少なくとも一部と、前記第４部分における前記上フレーム側の上面の少なくとも一部とが互いに接してもよい。
【００１１】
本発明の表示装置では、前記第２部分における前記上フレーム側の上面の少なくとも一部と、前記第４部分における前記表示パネル側の下面の少なくとも一部とが互いに接してもよい。
【００１２】
本発明の表示装置では、前記第１弾性部材は、前記第１部分と、前記第２部分とにより断面がＶ字形状に形成されており、前記第２弾性部材は、前記第３部分と、前記第４部分とにより断面がＶ字形状に形成されていてもよい。
【００１３】
本発明の表示装置では、前記第１弾性部材及び前記第２弾性部材の断面におけるＶ字の角度は９０度より小さくてもよい。
【００１４】
本発明の表示装置では、前記第２弾性部材の前記第３部分は、前記上フレームにおける前記表示パネル側の下面に固定されていてもよい。
【００１５】
本発明の表示装置では、前記第２弾性部材の前記第３部分は、前記上フレームにおける前記表示パネル側とは反対側の上面に固定されていてもよい。
【００１６】
本発明の表示装置では、前記第１弾性部材の第１部分は、前記表示パネルの周縁部に沿った、矩形の一体形状であり、前記第２弾性部材の第３部分は、前記上フレームに沿った、矩形の一体形状であってもよい。
【００１７】
本発明の表示装置では、前記第１弾性部材の第２部分は、前記第１部分の矩形の各辺から突出しており、辺ごとに独立しており、前記第２弾性部材の第４部分は、前記第３部分の矩形の各辺から突出しており、辺ごとに独立していてもよい。
【発明の効果】
【００１８】
本発明によれば、表示装置において上フレームと表示パネルとの間からの光の漏れや塵埃の侵入を低減することができる。
【図面の簡単な説明】
【００１９】
【図１】第１実施形態に係る表示装置の部分断面図である。
【図２】図１の部分ＩＩを拡大した図である。
【図３】第１実施形態に係る表示装置の部分断面図である。
【図４】第１実施形態に係る表示装置の分解斜視図である。
【図５】第１実施形態に係る第１弾性部材及び第２弾性部材の平面図である。
【図６Ａ】第１実施形態に係る上フレームが取り付けられる前の状態を示す図である。
【図６Ｂ】図６Ａから上フレームを下方向に移動させた状態を示す図である。
【図６Ｃ】第１実施形態に係る上フレームが取り付けられた状態を示す図である。
【図７】複数の部材から構成される第１弾性部材の一例を示す図である。
【図８】複数の部材から構成される第１弾性部材の一例を示す図である。
【図９】複数の部材から構成される第２弾性部材の一例を示す図である。
【図１０】変形例に係る表示装置の部分断面図である。
【図１１】変形例に係る表示装置に適用可能な第１弾性部材及び第２弾性部材の形状の一例を示す。
【図１２】第２実施形態に係る表示装置の部分断面図である。
【図１３】図１２の部分ＸＩＩを拡大した図である。
【図１４Ａ】第２実施形態に係る上フレームが取り付けられる前の状態を示す図である。
【図１４Ｂ】図１４Ａから上フレームを下方向に移動させた状態を示す図である。
【図１４Ｃ】第２実施形態に係る上フレームが取り付けられた状態を示す図である。
【発明を実施するための形態】
【００２０】
［第１実施形態］
以下、本発明の実施形態について、図面を用いて説明する。本発明の実施形態では、液晶表示装置を例に挙げるが、本発明に係る表示装置は液晶表示装置に限定されるものではなく、例えば有機ＥＬ表示装置等であってもよい。
【００２１】
図１は、第１実施形態に係る表示装置１の部分断面図である。図１においては、バックライトユニット３に対して表示パネル２が位置する側を上側とし、その逆を下側とする。また、上フレーム６の側壁部６１に対して表示パネル２が位置する側を内周側とし、その逆を外周側とする。
【００２２】
表示装置１は、画像を表示する表示パネル２と、表示パネル２の下側に配置されるバックライトユニット３と、バックライトユニット３の下側に配置される下フレーム４と、表示パネル２とバックライトユニット３との間に配置される中フレーム５と、表示パネル２の上側に配置される上フレーム６と、を含んで構成されている。
【００２３】
表示パネル２は、ＴＦＴ基板２１と、対向基板２２と、両基板間に挟持される液晶層２３とを含んで構成されている。
【００２４】
バックライトユニット３は、表示パネル２の下側から光を照射する。
【００２５】
下フレーム４は、バックライトユニット３の下側を覆うようにしてバックライトユニット３を支持している。下フレーム４の材料としては、鋼板などの、剛性が高くかつ軽量の材料が好適である。下フレーム４は、側壁部４１と底板部４２とを含んでいる。
【００２６】
中フレーム５は、表示パネル２の周縁部を支持している。中フレーム５は、上側から見て矩形状であり、Ｔ字型ないしＬ字型の断面を有している。中フレーム５の材料としては、合成樹脂などが好適である。中フレーム５は、側壁部５１と突出部５２とを含んでいる。
【００２７】
側壁部５１は、上フレーム６の側壁部６１と下フレーム４の側壁部４１との間に配置されており、側壁部５１の上端は、上フレーム６のベゼル部６２の下面６２ａに当接している。
【００２８】
突出部５２は、側壁部５１から表示パネル２とバックライトユニット３との間へ内周側に向かって突出している。突出部５２と表示パネル２との間には、表示パネル２が突出部５２に衝突する時の衝撃を緩和するための緩衝部材７２が備えられている。突出部５２とバックライトユニット３との間には、突出部５２がバックライトユニット３に衝突するときの衝撃を緩和するための緩衝部材７３が備えられている。
【００２９】
上フレーム６は、表示パネル２の表示面２ａの周縁部を覆うように配置されている。上フレーム６は、上側から見て矩形状であり、Ｌ字型の断面を有している。上フレーム６の材料としては、鋼板などの、剛性が高くかつ軽量の材料が好適である。上フレーム６は、側壁部６１とベゼル部６２とを含んでいる。
【００３０】
側壁部６１は、下フレーム４及び中フレーム５よりも外周側に位置している。ベゼル部６２は、側壁部６１の上端から内周側へ延伸しており、表示パネル２の表示面２ａの周縁部に対向している。
【００３１】
ベゼル部６２は、表示パネル２の表示面２ａの周縁部に貼り付けられておらず、ベゼル部６２と表示パネル２の表示面２ａの周縁部との間に空間が形成されている。特に、表示装置１がＩＰＳ（Ｉｎ  Ｐｌａｉｎ  Ｓｗｉｔｃｈｉｎｇ）モードの液晶表示装置の場合、押しムラに弱いため、上フレーム６との接触を軽減するため、上フレーム６と表示パネル２との間に空間を設ける必要性が高くなる。中フレーム５の側壁部５１の上端が、上フレーム６のベゼル部６２の下面６２ａに当接することで、当該空間が保持されている。
【００３２】
このように、ベゼル部６２と表示パネル２の表示面２ａの周縁部との間に空間が形成されていると、当該空間から光が漏れたり、塵埃が侵入したりしやすくなり、表示装置１の表示不良の原因となる可能性がある。
【００３３】
そこで、本発明の第１実施形態では、ベゼル部６２と表示パネル２の表示面２ａの周縁部との間に、空間を塞ぐための弾性部材（第１弾性部材８、第２弾性部材９）が設けられている。弾性部材の材料としては、ＰＥＴシート等が好適であり、本実施形態の弾性部材は、ＰＥＴシート等を曲げ加工した形状の弾性部材が用いられる。さらに、弾性部材の材料として、遮光性を有する材料を用いることで、ベゼル部６２と表示パネル２の表示面２ａの周縁部との間の空間からの光漏れを防止することができる。
【００３４】
図２は、図１の部分ＩＩを拡大した図である。図２に示すように、第１弾性部材８は、表示パネル２の表示面２ａの周縁部に固定される第１部分８１と、当該第１部分８１から上フレーム６側に向けて延伸する第２部分８２とを含んで形成されている。第１部分８１における表示パネル２側の下面８１ａと、表示パネルの表示面２ａの周縁部とが、粘着剤または粘着テープにより固定される。第２部分８２は、第１部分８１の内周側または外周側の端部から、上フレーム６側に向けて延伸している。第２部分８２は、表示パネル２及び上フレーム６のいずれにも固定されていない。図２では、第２部分８２は、第１部分８１の外周側の端部から、上フレーム６側に向けて延伸している。
【００３５】
第２弾性部材９は、上フレーム６のベゼル部６２の下面６２ａに固定される第３部分９３と、当該第３部分９３から表示パネル２側に向けて延伸する第４部分９４とを含んで形成されている。第３部分９３における上フレーム６側の上面９３ｂと、上フレーム６のベゼル部６２の下面６２ａとが、粘着剤または粘着テープにより固定される。第４部分９４は、第３部分９３の内周側または外周側の端部から、表示パネル２側に向けて延伸している。第４部分９４は、表示パネル２及び上フレーム６のいずれにも固定されていない。図２では、第４部分９４は、第３部分９３の内周側の端部から表示パネル２側に向けて延伸している。
【００３６】
第１実施形態では、表示パネル２の表示面２ａに平行な方向、図２においては内周側から外周側へ向かう方向から、表示パネル２と上フレーム６との間を見て、第１弾性部材８の第２部分８２の少なくとも一部と、第２弾性部材９の第４部分９４の少なくとも一部とが重なっている。具体的に、図２では、第１弾性部材８の第２部分８２における表示パネル２側の下面８２ａと、第２弾性部材９の第４部分９４における上フレーム６側の上面９４ｂとが対向するように、第１弾性部材８及び第２弾性部材９が配置されている。
【００３７】
このように、第１実施形態に係る第１弾性部材８及び第２弾性部材９により、表示パネル２と上フレーム６との間における内周側から外周側（または外周側から内周側）へ向かう方向の隙間をなくすことができ、表示パネル２と上フレーム６との間の空間における光の漏れや塵埃の進入を低減させることができる。
【００３８】
また、図２では、第１弾性部材８は、第１部分８１と第２部分８２とにより断面がＶ字形状に形成されている。具体的には、第１部分８１と第２部分８２とのなす角（角度θ１）が９０度より小さくなっており、内周側にＶ字の開口が位置している。また、第２弾性部材９は、第３部分９３と第４部分９４とにより断面がＶ字形状に形成されている。具体的には、第３部分９３と第４部分９４とのなす角（角度θ２）が９０度より小さくなっており、外周側にＶ字の開口が位置している。第１実施形態では、第１弾性部材８のＶ字の開口と、第２弾性部材９のＶ字の開口とは互いに反対側に位置する。よって、図３に示すように、第１弾性部材８のＶ字の開口が外周側に位置し、第２弾性部材９のＶ字の開口が内周側に位置していてもよい。図３は、第１実施形態に係る表示装置１の部分断面図である。図３に示す表示装置１は、図１に示す表示装置１と同一の構成には同符号を付し、重複する説明は省略するものとする。図３に示す表示装置１では、第２部分８２は、第１部分８１の内周側の端部から、上フレーム６側に向けて延伸し、第４部分９４は、第３部分９３の外周側の端部から表示パネル２側に向けて延伸している。
【００３９】
また、図２では、第１弾性部材８の第２部分８２における表示パネル２側の下面８２ａの少なくとも一部と、第２弾性部材９の第４部分９４における上フレーム６側の上面９４ｂの少なくとも一部とが、互いに接していてもよい。なお、第１弾性部材８の第２部分８２における表示パネル２側の下面８２ａと、第２弾性部材９の第４部分９４における上フレーム６側の上面９４ｂとは離間していてもよい。
【００４０】
第１弾性部材８の第２部分８２における表示パネル２側の下面８２ａと、第２弾性部材９の第４部分９４における上フレーム６側の上面９４ｂとが離間していても、第１実施形態の構成では、塵埃等の進入経路を長くとることができるので、表示パネル２と上フレーム６との間の空間における光の漏れや塵埃の進入を低減させる効果が生じる。第１弾性部材８の第２部分８２における表示パネル２側の下面８２ａの少なくとも一部と、第２弾性部材９の第４部分９４における上フレーム６側の上面９４ｂの少なくとも一部と、が互いに接していることで、表示パネル２と上フレーム６との間で隙間が生じにくくなり、光の漏れや塵埃の進入をより低減させることができる。
【００４１】
ここで、第１実施形態に係る表示装置１の組み立て工程について説明する。図４は、第１実施形態に係る表示装置１の分解斜視図である。図５は、第１実施形態に係る第１弾性部材８及び第２弾性部材９の平面図である。
【００４２】
第１実施形態に係る第１弾性部材８は、一枚の部材から構成されており、矩形状より詳しくは枠状の第１部分８１と、第１部分８１の外周側の各辺から折り曲げ可能に突出する４つの第２部分８２とから構成されている。第１部分８１は、矩形の一体形状を有しており、表示パネル２の表示面２ａの周縁部に沿って貼り付けられる。第２部分８２は、第１部分８１の矩形の各辺から突出しており、辺ごとに独立している。
【００４３】
第２弾性部材９は、一枚の部材から構成されており、矩形状より詳しくは枠状の第３部分９３と、第３部分９３の内周側の各辺から折り曲げ可能に突出する４つの第４部分９４とから構成されている。第３部分９３は、矩形の一体形状を有しており、上フレーム６のベゼル部６２の下面６２ａに貼り付けられる。第４部分９４は、第３部分９３の矩形の各辺から突出しており、辺ごとに独立している。
【００４４】
第１実施形態に係る表示装置１を組み立てる場合は、まず、下フレーム４と中フレーム５との間にバックライトユニット３が組み込まれ、中フレーム５の上側に表示パネル２が載置される。次に、表示パネル２の周縁部に第１弾性部材８が貼り付けられる。一方で、上フレーム６のベゼル部６２には第２弾性部材９が貼り付けられる。そして、第２弾性部材９が貼り付けられた上フレーム６を、第１弾性部材８が貼り付けられた表示パネル２の上側に取り付けることで表示装置１が組み立てられる。
【００４５】
図６Ａ〜図６Ｃは、第１実施形態に係る上フレーム６を取り付ける工程について説明する図である。図６Ａ〜図６Ｃは、表示装置１の部分断面図を示している。図６Ａ〜図６Ｃでは、バックライトユニット３及び下フレーム４の図示を省略している。
【００４６】
まず、図６Ａは、第１実施形態に係る上フレーム６が取り付けられる前の状態を示す図である。上フレーム６は、上フレーム６の側壁部６１が中フレーム５の側壁部５１の外周側に位置するように取り付けられる。上フレーム６が取り付けられる前の状態において、表示パネル２には第１弾性部材８が貼り付けられており、上フレーム６には第２弾性部材９が貼り付けられている。
【００４７】
図６Ａでは、第１弾性部材８は、第１部分８１と第２部分８２とのなす角（角度θ１０）が９０度以下となるように形成されており、内周側にＶ字の開口が位置する。また、第２弾性部材９は、第３部分９３と第４部分９４とのなす角（角度θ２０）が９０度以下となるように形成されており、外周側にＶ字の開口が位置する。
【００４８】
また、図６Ａでは、上フレーム６が取り付けられる前の状態において、第１弾性部材８及び第２弾性部材９は、第２部分８２が外周側に第４部分９４が内周側に位置するとともに、第２部分８２と第４部分９４とが上下方向に重ならないように形成されている。
【００４９】
また、第２部分８２の長さＨ２と、第４部分９４の長さＨ４とは、それぞれ、上フレーム６が取り付けられた状態での上フレーム６と表示パネル２との間の距離Ｇ（図６Ｃ参照）より長くてもよい（Ｈ２＞Ｇ，Ｈ４＞Ｇ）。言い換えれば、表示パネル２と上フレーム６との間の表示パネル２の厚さ方向（図６Ｃにおける上下方向）の長さは、第２部分８２の上フレーム６側に向けて延伸する方向の長さよりも短くてもよい。また、表示パネル２と上フレーム６との間の表示パネル２の厚さ方向（図６Ｃにおける上下方向）の長さは、第４部分９４の表示パネル２側に向けて延伸する方向の長さよりも短くてもよい。また、第１弾性部材８及び第２弾性部材９は、第２部分８２の内周側の端部８２ｃと第３部分９３とが上下方向に重なり、第４部分９４の外周側の端部９４ｃと第１部分８１とが上下方向に重なるように形成されていてもよい。これにより、第１弾性部材８の第２部分８２における表示パネル２側の下面８２ａと、第２弾性部材９の第４部分９４における上フレーム６側の上面９４ｂと、が接しやすくなる。
【００５０】
図６Ｂは、図６Ａから上フレーム６を下方向に移動させた状態を示す図である。図６Ａに示す状態から上フレーム６を下方向に移動させると、第１弾性部材８の第２部分８２の端部８２ｃが第２弾性部材９の第３部分９３に当接する。また、第２弾性部材９の第４部分９４の端部９４ｃが第１弾性部材８の第１部分８１に当接する。そして、図６Ｂに示す状態から上フレーム６をさらに下方向に移動させると、上フレーム６による下方向への力により、第１弾性部材８の第２部分８２は第１部分８１に近づく方向へ押され、第２弾性部材９の第４部分９４は第３部分９３に近づく方向へ押される。
【００５１】
図６Ｃは、第１実施形態に係る上フレーム６が取り付けられた状態を示す図である。図６Ｃでは、上フレーム６が取り付けられた状態で、上フレーム６のベゼル部６２の下面６２ａと中フレーム５の上端とが接する。上フレーム６が取り付けられると、第１弾性部材８の第２部分８２は、第２弾性部材９の第３部分９３と第４部分９４とに挟まれた状態となり、第２弾性部材９の第４部分９４は、第１弾性部材８の第１部分８１と第２部分８２とに挟まれた状態となる。このようにして、第１弾性部材８と第２弾性部材９とが互いに噛み合うため、表示パネル２と上フレーム６との間における内周側から外周側（または外周側から内周側）へ向かう方向の隙間をなくすことができる。
【００５２】
なお、第２部分８２の長さＨ２と、第４部分９４の長さＨ４とは、互いに等しくてもよいし異なっていてもよく、少なくとも、両者の和が距離Ｇより大きくなっていればよい（（Ｈ２＋Ｈ４）＞Ｇ））。これにより、表示パネル２と上フレーム６との間における内周側から外周側（または外周側から内周側）へ向かう方向の隙間をなくすことができる。
【００５３】
また、第４部分９４の長さＨ４は、第２部分８２の長さＨ２より短く、かつ、距離Ｇより短くてもよい。上述の説明では、上フレーム６による下方向への力により、第２部分８２と第４部分９４とが相互に押されることで、第１弾性部材８と第２弾性部材９とが互いに噛み合うこととしたが、第４部分９４の長さＨ４が短い場合には、上フレーム６が取り付けられた後に上フレーム６と表示パネル２との間に治具等を差し込んで第４部分９４を第２部分８２に接するように押し込むことで第１弾性部材８と第２弾性部材９とが互いに噛み合うようにしてもよい。
【００５４】
このように、第１実施形態では、第１弾性部材８及び第２弾性部材９の２つの弾性部材により表示パネル２と上フレームとの間の空間を塞ぐことで、第１弾性部材８及び第２弾性部材９それぞれの形状（例えば、角度θ１、角度θ２など）を厳密に管理しなくても、表示パネル２と上フレーム６との間で隙間が生じにくくなり、表示パネル２と上フレーム６との間の空間からの光の漏れや塵埃等の侵入を低減させることができる。
【００５５】
さらに、第１実施形態では、第１弾性部材８及び第２弾性部材９の２つの弾性部材が互いに噛み合っているため、表示パネル２や上フレーム６の位置ずれによる隙間が生じにくい。さらに、第１弾性部材８及び第２弾性部材９が表示パネル２を直接押さえつけることがなく、表示パネル２に力が印加されることによる表示不良を低減させることができる。
【００５６】
なお、第１弾性部材８及び第２弾性部材９の形状は、上述の例に限定されない。例えば、第１弾性部材８は、枠状の第１部分８１と、第１部分８１の内周側の各辺から折り曲げ可能に突出する４つの第２部分８２とから構成され、第２弾性部材９は、枠状の第３部分９３と、第３部分９３の外周側の各辺から折り曲げ可能に突出する４つの第４部分９４とから構成されていてもよい。
【００５７】
また、第１弾性部材８及び第２弾性部材９は、それぞれ、複数の部材から構成されていてもよい。第１弾性部材８や第２弾性部材９が複数の部材から構成されていると、第１弾性部材８や第２弾性部材９の貼り付けが容易となる。複数の部材から構成される第１弾性部材８及び第２弾性部材９の一例について図７〜図９に示す。
【００５８】
図７は、複数の部材から構成される第１弾性部材８の一例を示す図である。図７に示す第１弾性部材８は、複数の部分弾性部材８００から構成されている。部分弾性部材８００は、矩形状の部材を折り曲げ、折り曲げ部分の端に切り込みを入れた形状を有している。複数の部分弾性部材８００を外周側に開口が位置するように表示パネル２の周縁部に貼り付けることで第１弾性部材８が構成される。ここで、表示パネル２の角部において、２つの部分弾性部材８００の切り込み同士を組み合わせることで、表示パネル２の角部にも隙間なく部分弾性部材８００を配置することができる。
【００５９】
図８は、複数の部材から構成される第１弾性部材８の一例を示す図である。図８に示す第１弾性部材８は、複数の部分弾性部材８０１から構成されている。部分弾性部材８０１は、矩形状の部材を折り曲げた形状を有している。複数の部分弾性部材８０１を内周側に開口が位置するように表示パネル２の周縁部に貼り付けることで第１弾性部材８が構成される。ここで、表示パネル２の角部において、２つの部分弾性部材８０１の端部同士を重ねることで、表示パネル２の角部にも隙間なく部分弾性部材８０１を配置することができる。
【００６０】
図９は、複数の部材から構成される第２弾性部材９の一例を示す図である。図９に示す第２弾性部材９は、複数の部分弾性部材９００から構成されている。部分弾性部材９００は、矩形状または多角形状の部材を折り曲げた形状を有している。複数の部分弾性部材９００それぞれを、内周側に開口が位置するように上フレーム６のベゼル部６２の各辺に貼り付けることで、第２弾性部材９が構成される。
【００６１】
次に、第１実施形態の変形例について説明する。図１０は、変形例に係る表示装置１の部分断面図である。図１０に示す変形例は、第１実施形態とは、第２弾性部材１９の構成に差異がある点を除けば、同一のものである。従って、第１実施形態と同等の構成には同符号を付し、その重複する説明は省略するものとする。
【００６２】
図１０に示すように、変形例では、ベゼル部６２と表示パネル２の表示面２ａの周縁部との間に、弾性部材（第１弾性部材８、第２弾性部材１９）が設けられている。第２弾性部材１９は、上フレーム６のベゼル部６２の上面６２ｂに固定される第３部分１９３と、当該第３部分１９３から表示パネル２に向けて延伸する第４部分１９４とを含んで形成されている。変形例では、第３部分１９３と上フレーム６のベゼル部６２の上面６２ｂとが、粘着剤または粘着テープにより固定される。第４部分１９４は、第３部分１９３の内周側の端部から、表示パネル２に向けて延伸している。このように、第２弾性部材１９の第３部分１９３と上フレーム６のベゼル部６２の上面６２ｂとが固定されることで、第２弾性部材１９を配置しやすくなる。上述の第１実施形態では、上フレーム６を取り付ける前に上フレーム６に第２弾性部材９を貼り付けておく必要があったが、本変形例では、上フレーム６を取り付けた後に第２弾性部材１９を配置することができる。例えば、上フレーム６に第２弾性部材１９を貼り付けずに上フレーム６を取り付け、上フレーム６を取り付けた後に第２弾性部材１９の第４部分１９４を表示パネルと２上フレーム６との間に差し込み、最後に第２弾性部材１９の第３部分１９３を上フレーム６のベゼル部６２の上面６２ｂに固定する。
【００６３】
図１１に、変形例に係る表示装置１に適用可能な第１弾性部材８及び第２弾性部材１９の形状の一例を示す。図１１に示す第１弾性部材８の形状は、図８に示した第１弾性部材８の形状と同一である。第２弾性部材１９は、複数の部分弾性部材９０１から構成されている。部分弾性部材９０１は、平面的に見てＬ字状の第４部分１９４と、第４部分１９４の内周側の辺から折り曲げ可能に突出する複数の第３部分１９３とを含んで構成されている。上フレーム６が取り付けられた後に、部分弾性部材９０１の第４部分１９４を部分弾性部材８０１の第１部分８１と第２部分８２との間に差し込み、その後第３部分１９３を上フレームのベゼル部６２の上面６２ｂに固定する。
【００６４】
［第２実施形態］
図１２は、第２実施形態に係る表示装置１の部分断面図である。第２実施形態は、第１実施形態とは、第１弾性部材２８及び第２弾性部材２９の構成に差異がある点を除けば、同一のものである。従って、第１実施形態と同等の構成には同符号を付し、その重複する説明は省略するものとする。
【００６５】
図１２に示すように、本発明の第２実施形態では、ベゼル部６２と表示パネル２の表示面２ａの周縁部との間に、弾性部材（第１弾性部材２８、第２弾性部材２９）が設けられている。
【００６６】
図１３は、図１２の部分ＸＩＩを拡大した図である。図１３に示すように、第１弾性部材２８は、表示パネル２の周縁部に位置する表示面２ａに固定される第１部分２８１と、当該第１部分２８１から上フレーム６側に向けて延伸する第２部分２８２とを含んで形成されている。第１部分２８１における表示パネル２側の下面２８１ａと、表示パネルの表示面２ａの周縁部とが、粘着剤または粘着テープにより固定される。第２部分２８２は、第１部分２８１の内周側または外周側の端部から、上フレーム６側に向けて延伸している。第２部分２８２は、表示パネル２及び上フレーム６のいずれにも固定されていない。図１３では、第２部分２８２は、第１部分２８１の外周側の端部から、上フレーム６側に向けて延伸している。
【００６７】
第２弾性部材２９は、上フレーム６のベゼル部６２の下面６２ａに固定される第３部分２９３と、当該第３部分２９３から表示パネル２側に向けて延伸する第４部分２９４とを含んで形成されている。第３部分２９３における上フレーム６側の上面２９３ｂと、上フレーム６のベゼル部６２の下面６２ａとが、粘着剤または粘着テープにより固定される。第４部分２９４は、第３部分２９３の内周側または外周側の端部から、表示パネル２側に向けて延伸している。第４部分２９４は、表示パネル２及び上フレーム６のいずれにも固定されていない。図１３では、第４部分２９４は、第３部分２９３の内周側の端部から、表示パネル２側に向けて延伸している。
【００６８】
第２実施形態では、表示パネル２の表示面２ａに平行な方向、図１３においては内周側から外周側へ向かう方向から、表示パネル２と上フレーム６との間を見て、第１弾性部材２８の第２部分２８２の少なくとも一部と、第２弾性部材２９の第４部分２９４の少なくとも一部とが重なっている。具体的には、図１３では、第１弾性部材２８の第２部分２８２における上フレーム６側の上面２８２ｂと、第２弾性部材２９の第４部分２９４における表示パネル２側の下面２９４ａとが対向するように、第１弾性部材２８及び第２弾性部材２９が配置されている。
【００６９】
このように、第２実施形態に係る第１弾性部材８及び第２弾性部材９により、表示パネル２と上フレーム６との間における内周側から外周側（または外周側から内周側）へ向かう方向の隙間をなくすことができ、表示パネル２と上フレーム６との間の空間における光の漏れや塵埃の進入を低減させることができる。
【００７０】
また、図１３では、第１弾性部材２８は、第１部分２８１と第２部分２８２とにより断面がＶ字形状に形成されている。具体的には、第１部分２８１と第２部分２８２とのなす角（角度θ３）が９０度より小さくなっており、内周側にＶ字の開口が位置している。また、第２弾性部材２９は、第３部分２９３と第４部分２９４とにより断面がＶ字形状に形成されている。具体的には、第３部分２９３と第４部分２９４とのなす角（角度θ４）が９０度より小さくなっており、外周側にＶ字の開口が位置している。第２実施形態では、第１弾性部材２８のＶ字の開口と、第２弾性部材２９のＶ字の開口とは互いに反対側に位置してもよいし、互いに同じ側に位置してもよい。よって、第１弾性部材２８のＶ字の開口が外周側に位置しており、第２弾性部材２９のＶ字の開口が内周側に位置していてもよい。また、第１弾性部材２８のＶ字の開口及び第２弾性部材２９のＶ字の開口の両方とも内周側または外周側に位置していてもよい。
【００７１】
また、図１３では、第１弾性部材２８の第２部分２８２における上フレーム６側の上面２８２ｂの少なくとも一部と、第２弾性部材２９の第４部分２９４における表示パネル２側の下面２９４ａの少なくとも一部と、が互いに接している。なお、第１弾性部材２８の第２部分２８２における上フレーム６側の上面２８２ｂと、第２弾性部材２９の第４部分２９４における表示パネル２側の下面２９４ａとは離間していてもよい。
【００７２】
第１弾性部材２８の第２部分２８２における上フレーム６側の上面２８２ｂと、第２弾性部材２９の第４部分２９４における表示パネル２側の下面２９４ａとが離間していても、第２実施形態の構成では、塵埃等の進入経路を長くとることができるので、表示パネル２と上フレーム６との間の空間における光の漏れや塵埃の進入を低減させる効果が生じる。第１弾性部材２８の第２部分２８２における上フレーム６側の上面２８２ｂの少なくとも一部と、第２弾性部材２９の第４部分２９４における表示パネル２側の下面２９４ａの少なくとも一部と、が互いに接していることで、表示パネル２と上フレーム６との間で隙間が生じにくくなり、表示パネル２と上フレーム６との間の空間における光の漏れや塵埃の進入をより低減させることができる。また、第１弾性部材２８の第２部分２８２における上フレーム６側の上面２８２ｂの少なくとも一部と、第２弾性部材２９の第４部分２９４における表示パネル２側の下面２９４ａの少なくとも一部とが、お互いに反発し合うことで、第１実施形態よりも弾性力が強くなり、上フレーム６と表示パネル２との間の押ムラをより軽減することが出来る。
【００７３】
ここで、第２実施形態に係る表示装置１の組み立て工程について説明する。第１弾性部材２８及び第２弾性部材２９の形状は、それぞれ、図５に示した第１実施形態に係る第１弾性部材８及び第２弾性部材９の形状と同一とする。
【００７４】
図１４Ａ〜図１４Ｃは、第２実施形態に係る上フレーム６を取り付ける工程について説明する図である。図１４Ａ〜図１４Ｃは、表示装置１の部分断面図を示している。
【００７５】
まず、図１４Ａは、第２実施形態に係る上フレーム６が取り付けられる前の状態を示す図である。上フレーム６は、上フレーム６の側壁部６１が中フレーム５の側壁部５１の外周側に位置するように取り付けられる。上フレーム６が取り付けられる前の状態において、表示パネル２には第１弾性部材２８が貼り付けられており、上フレーム６には第２弾性部材２９が貼り付けられている。
【００７６】
図１４Ａでは、第１弾性部材２８は、第１部分２８１と第２部分２８２とのなす角（角度θ３０）が９０度以下となるように形成されており、内周側にＶ字の開口が位置する。また、第２弾性部材２９は、第３部分２９３と第４部分２９４とのなす角（角度θ４０）が９０度以下となるように形成されており、外周側にＶ字の開口が位置する。
【００７７】
また、図１４Ａでは、上フレーム６が取り付けられる前の状態において、第１弾性部材２８及び第２弾性部材２９は、第２部分２８２の少なくとも一部と、第４部分２９４の少なくとも一部とは上下方向に重なるように形成されている。
【００７８】
また、第２部分２８２の長さＨ２２と、第４部分２９４の長さＨ２４とは、それぞれ、上フレーム６が取り付けられた状態での上フレーム６と表示パネル２との間の距離Ｇ（図１４Ｃ参照）より長くてもよい（Ｈ２２＞Ｇ，Ｈ２４＞Ｇ）。言い換えれば、表示パネル２と上フレーム６との間の表示パネル２の厚さ方向（図１４Ｃにおける上下方向）の長さは、第２部分２８２の上フレーム６側に向けて延伸する方向の長さよりも短くてもよい。また、表示パネル２と上フレーム６との間の表示パネル２の厚さ方向（図１４Ｃにおける上下方向）の長さは、第４部分２９４の表示パネル２側に向けて延伸する方向の長さよりも短くてもよい。これにより、第１弾性部材２８の第２部分２８２における上フレーム６側の上面２８２ｂと、第２弾性部材２９の第４部分２９４における表示パネル２側の下面２９４ａとが接しやすくなる。なお、第２部分２８２の長さＨ２２と、第４部分２９４の長さＨ２４とは、互いに等しくてもよいし異なっていてもよい。
【００７９】
図１４Ｂは、図１４Ａから上フレーム６を下方向に移動させた状態を示す図である。図１４Ａに示す状態から上フレーム６を下方向に移動させると、第１弾性部材２８の第２部分２８２と第２弾性部材２９の第４部分２９４とが互いに接する。そして、図１４Ｂに示す状態から上フレーム６をさらに下方向に移動させると、上フレーム６による下方向への力と、第１弾性部材２８及び第２弾性部材２９の弾性とにより、第１弾性部材２８の第２部分２８２と第２弾性部材２９の第４部分２９４とが互いに密着する。
【００８０】
図１４Ｃは、第２実施形態に係る上フレーム６が取り付けられた状態を示す図である。図１４Ｃでは、上フレーム６が取り付けられた状態で、上フレーム６のベゼル部６２の下面６２ａと中フレーム５の上端とが接する。上フレーム６が取り付けられた状態で、第１弾性部材２８の第２部分２８２と第２弾性部材２９の第４部分２９４とが互いに密着する。このようにして、第１弾性部材２８の第２部分２８２と第２弾性部材２９の第４部分２９４とが互いに密着するように上フレーム６が取り付けられるため、表示パネル２と上フレーム６との間における内周側から外周側（または外周側から内周側）へ向かう方向の隙間をなくすことができる。
【００８１】
このように、第２実施形態では、第１弾性部材２８及び第２弾性部材２９の２つの弾性部材により表示パネル２と上フレームとの間の空間を塞ぐことで、第１弾性部材２８及び第２弾性部材２９それぞれの形状（例えば、角度θ３、角度θ４など）を厳密に管理しなくても、表示パネル２と上フレーム６との間で隙間が生じにくくなり、表示パネル２と上フレーム６との間の空間からの光の漏れや塵埃等の侵入を低減させることができる。
【００８２】
さらに、第２実施形態では、第１弾性部材８２及び第２弾性部材２９の２つの弾性部材が互いに接していることで、表示パネル２や上フレーム６の位置ずれによる隙間が生じにくい。さらに、第１弾性部材２８及び第２弾性部材２９は、互いに接することで表示パネル２と上フレーム６との間の緩衝材としても作用する。
【００８３】
以上、本発明の実施の形態について説明したが、本発明は上記各実施の形態に限定されるものではなく、本発明の趣旨を逸脱しない範囲内で上記実施の形態から当業者が適宜変更した形態も本発明の技術的範囲に含まれることは言うまでもない。
【符号の説明】
【００８４】
１  表示装置、２  表示パネル、２ａ  表示面、３  バックライトユニット、４  下フレーム、５  中フレーム、６  上フレーム、８，２８  第１弾性部材、９，１９，２９  第２弾性部材、２１  ＴＦＴ基板、２２  対向基板、２３  液晶層、４１，５１，６１  側壁部、４２  底板部、５２  突出部、６２  ベゼル部、６２ａ，８１ａ，８２ａ，２８１ａ，２９４ａ  下面、６２ｂ，２８２ｂ，９３ｂ，９４ｂ，２９３ｂ  上面、７２，７３  緩衝部材、８１，２８１，８１１  第１部分、８２，２８２，８２１  第２部分、８２ｃ,９４ｃ  端部、９３，１９３，２９３，９３１  第３部分、９４，１９４，２９４，９４１  第４部分、８００，８０１，９００，９０１  部分弾性部材。
【図１】
2017161874.tif 000003
【図２】
2017161874.tif 000004
【図３】
2017161874.tif 000005
【図４】
2017161874.tif 000006
【図５】
2017161874.tif 000007
【図６Ａ】
2017161874.tif 000008
【図６Ｂ】
2017161874.tif 000009
【図６Ｃ】
2017161874.tif 000010
【図７】
2017161874.tif 000011
【図８】
2017161874.tif 000012
【図９】
2017161874.tif 000013
【図１０】
2017161874.tif 000014
【図１１】
2017161874.tif 000015
【図１２】
2017161874.tif 000016
【図１３】
2017161874.tif 000017
【図１４Ａ】
2017161874.tif 000018
【図１４Ｂ】
2017161874.tif 000019
【図１４Ｃ】
2017161874.tif 000020